【事件の表示】
　特許第２９５５９１３号「Ｘ線回折装置用超電導磁石装置」の請求項１、２に係る特許に対する特許異議の申立てについて、次のとおり決定する。
【結　論】
　訂正を認める。
　特許第２９５５９１３号の請求項１、２に係る特許を維持する。
【理　由】
１．　手続の経緯
　特許出願　　　　　　　　　　　　　　　　平成　５年　８月１９日
　設定登録（特許第２９５５９１３号）　　　平成１１年　７月２３日
　特許異議申立（宮本泰一）　　　　　　　　平成１２年　３月３１日
　補正指令（申立人宛）　　　　　　　　　　平成１２年　６月３０日
　手続補正書（方式）　　　　　　　　　　　平成１２年　８月　３日
　取消理由通知　　　　　　　　　　　　　　平成１２年　８月１４日
　特許異議意見書　　　　　　　　　　　　　平成１２年１０月３０日
　訂正請求　　　　　　　　　　　　　　　　平成１２年１０月３０日
　
２．　訂正の適否についての判断
２．１　訂正の内容
（１）訂正事項ａ
　特許請求の範囲の請求項１に係る記載「【請求項１】　真空容器内に配置した超電導コイルとこれを冷却可能とした冷凍機とを有する超電導磁石装置において、前記超電導コイルは、上部コイルと下部コイルとから成り、前記真空容器の上端から該超電導コイルの中心部に向けて内筒を設けることにより、前記内筒を前記真空容器外部と連通可能にして試料の載置及び出し入れを可能にし、しかも前記上部コイルと前記下部コイルとの間には、前記超電導コイルの中心部から第１の角度をなして前記真空容器の側壁に向けて広がるようにＸ線入射通路を形成して前記内筒内に置かれた試料に前記真空容器外部からＸ線を入射可能にすると共に、前記Ｘ線入射通路とは異なる領域に前記超電導コイルの中心部から第２の角度をなして前記真空容器の側壁に向けて広がるようにＸ線回折通路を形成して前記内筒に置かれた試料からの回折Ｘ線を前記真空容器外部に取り出し可能にしたことを特徴とするＸ線回折装置用超電導磁石装置。」を、
「【請求項１】　冷却ステージとして第１段冷却ステージ及び第２段冷却ステージを有する冷凍機と、該冷凍機により冷却可能とした超電導コイルと、該超電導コイルの外周に配置されて該超電導コイルを外周面から締め付けている冷却促進部材とを含み、前記第１段冷却ステージ、前記第２段冷却ステージ、前記超電導コイル、及び前記冷却促進部材を真空容器内に配置して前記第２段冷却ステージに前記冷却促進材を接触させている超電導磁石装置であって、
　前記超電導コイルは、上部コイルと下部コイルとから成り、前記真空容器の上端から該超電導コイルの中心部に向けて内筒を設けることにより、前記内筒を前記真空容器外部と連通可能にして試料の載置及び出し入れを可能にし、しかも前記上部コイルと前記下部コイルとの間には、前記超電導コイルの中心部から第１の角度をなして前記真空容器の側壁に向けて広がるようにＸ線入射通路を形成して前記内筒内に置かれた試料に前記真空容器外部からＸ線を入射可能にすると共に、前記Ｘ線入射通路とは異なる領域に前記超電導コイルの中心部から第２の角度をなして前記真空容器の側壁に向けて広がるようにＸ線回折通路を形成して前記内筒に置かれた試料からの回折Ｘ線を前記真空容器外部に取り出し可能にし、前記Ｘ線入射通路及び前記Ｘ線回折通路を除く前記上部コイルと前記下部コイルとの間には、これらの間に作用する電磁力を支えるためのコイル支持部材を介在させたことを特徴とするＸ線回折装置用超電導磁石装置。」と訂正する。
（２）訂正事項ｂ
　明細書の段落【０００５】「【課題を解決するための手段】　本発明によれば、真空容器内に配置した超電導コイルとこれを冷却可能とした冷凍機とを有する超電導磁石装置において、前記超電導コイルは、上部コイルと下部コイルとから成り、前記真空容器の上端から該超電導コイルの中心部に向けて内筒を設けることにより、前記内筒を前記真空容器外部と連通可能にして試料の載置及び出し入れを可能にし、しかも前記上部コイルと前記下部コイルとの間には、前記超電導コイルの中心部から第１の角度をなして前記真空容器の側壁に向けて広がるようにＸ線入射通路を形成して前記内筒内に置かれた試料に前記真空容器外部からＸ線を入射可能にすると共に、前記Ｘ線入射通路とは異なる領域に前記超電導コイルの中心部から第２の角度をなして前記真空容器の側壁に向けて広がるようにＸ線回折通路を形成して前記内筒に置かれた試料からの回折Ｘ線を前記真空容器外部に取り出し可能にしたことを特徴とするＸ線回折装置用超電導磁石装置が得られる。」を、
　「【課題を解決するための手段】　本発明によれば、冷却ステージとして第１段冷却ステージ及び第２段冷却ステージを有する冷凍機と、該冷凍機により冷却可能とした超電導コイルと、該超電導コイルの外周に配置されて該超電導コイルを外周面から締め付けている冷却促進部材とを含み、前記第１段冷却ステージ、前記第２段冷却ステージ、前記超電導コイル、及び前記冷却促進部材を真空容器内に配置して前記第２段冷却ステージに前記冷却促進材を接触させている超電導磁石装置であって、前記超電導コイルは、上部コイルと下部コイルとから成り、前記真空容器の上端から該超電導コイルの中心部に向けて内筒を設けることにより、前記内筒を前記真空容器外部と蓮通可能にして試料の載置及び出し入れを可能にし、しかも前記上部コイルと前記下部コイルとの間には、前記超電導コイルの中心部から第１の角度をなして前記真空容器の側壁に向けて広がるようにＸ線入射通路を形成して前記内筒内に置かれた試料に前記真空容器外部からＸ線を入射可能にすると共に、前記Ｘ線入射通路とは異なる領域に前記超電導コイルの中心部から第２の角度をなして前記真空容器の側壁に向けて広がるようにＸ線回折通路を形成して前記内筒に置かれた試料からの回折Ｘ線を前記真空容器外部に取り出し可能にし、前記Ｘ線入射通路及び前記Ｘ線回折通路を除く前記上部コイルと前記下部コイルとの間には、これらの間に作用する電磁力を支えるためのコイル支持部材を介在させたことを特徴とするＸ線回折装置用超電導磁石装置が得られる。」と訂正するものである。
　
２．２　訂正の目的の適否、新規事項の有無及び変更・拡張の存否
（１）訂正事項aについて
　訂正事項ａは、明らかに特許請求の範囲の減縮に相当する。
　そして、特許明細書の段落【０００９】、【００１０】、【００１２】には、「【０００９】真空容器３は、真空としたその内部に熱シールド板４と、超電導コイル５と、ビスマス系金属を代表とする高温超電導電流リード６と、蓄冷式冷凍機７の第１段冷却ステージ７Ａ及び第２段冷却ステージ７Ｂとを収容している。熱シールド板４は、蓄冷式冷凍機７の第１段冷却ステージ７Ａに接触固定すると共に、その内部の超電導コイル５及び高温超電導電流リード６への熱侵入を防止している。高温超電導電流リード６は、リード１２、外部接続端子１３を介して外部電源（図示せず）に接続される。
【００１０】　超電導コイル５は、スプリットコイル型と呼ばれるもので上部コイル５−１と下部コイル５−２とから成り、それぞれ、環状のコイル巻き枠９−１、９−２に超電導線材１０を巻いたもので、これらの外周は冷却促進部材としての銅ブロック１１で締め付けている。銅ブロック１１は、上部コイル５−１と下部コイル５−２の外周を締め付けているブロック１１−１と、このブロック１１−１にボルトで固定されて上部コイル５−１の上面側を押さえているブロック１１−２と、ブロック１１−１にボルトで固定されて下部コイル５−２の下面側を押さえているブロック１１−３とから成る。また、上部コイル５−１と下部コイル５−２との間には、これらの間に作用する電磁力（吸引力）を支えるために銅製のコイル支持材８を介在させている。
【００１２】本発明では、真空容器３と熱シールド板４とにこれらの上端中心から超電導コイル５の中心部に向かう直径ｄ１の内筒３−１、４−１を設けて、超電導コイル５の中心部に試料（図示せず）を載置したり、出し入れしたりできるようにされている。また、図２にも示すように、コイル支持材８は、上部コイル５−１と下部コイル５−２との間の全領域に介在させずに、中心部から第１の角度をなして真空容器３の側壁に向けて広がる領域Ｓ１と、この領域Ｓ１と重ならずに中心部から第２の角度をなして真空容器３の側壁に向けて広がる領域Ｓ２とを空間として残し、これらの空間を真空容器３内とは遮断されたＸ線入射通路、Ｘ線回折通路として利用できるように内筒３−１、４−１内に連通させている。」と記載されていることから、新規事項の追加に該当せず、実質的に特許請求の範囲を拡張・変更するものではない。
（２）訂正事項ｂについて
　訂正事項ｂは訂正事項ａに伴い、詳細な説明の段落【０００５】を、明りょうでない記載の釈明を目的として訂正しており、上記（１）訂正事項ａで検討したように、新規事項の追加に該当せず、実質的に特許請求の範囲を拡張・変更するものでもない。
　
２．３　訂正についての結び
　以上のとおりであるから、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書、第２及び３項の規定に適合するので、当該訂正を認める。
　
３．　特許異議申立について
３．１　本件特許明細書
　本件特許の特許請求の範囲請求項１、２に係る発明は、訂正された特許明細書の特許請求の範囲請求項１、２に記載された次のとおりである。
「【請求項１】　冷却ステージとして第１段冷却ステージ及び第２段冷却ステージを有する冷凍機と、該冷凍機により冷却可能とした超電導コイルと、該超電導コイルの外周に配置されて該超電導コイルを外周面から締め付けている冷却促進部材とを含み、前記第１段冷却ステージ、前記第２段冷却ステージ、前記超電導コイル、及び前記冷却促進部材を真空容器内に配置して前記第２段冷却ステージに前記冷却促進材を接触させている超電導磁石装置であって、
　前記超電導コイルは、上部コイルと下部コイルとから成り、前記真空容器の上端から該超電導コイルの中心部に向けて内筒を設けることにより、前記内筒を前記真空容器外部と連通可能にして試料の載置及び出し入れを可能にし、しかも前記上部コイルと前記下部コイルとの間には、前記超電導コイルの中心部から第１の角度をなして前記真空容器の側壁に向けて広がるようにＸ線入射通路を形成して前記内筒内に置かれた試料に前記真空容器外部からＸ線を入射可能にすると共に、前記Ｘ線入射通路とは異なる領域に前記超電導コイルの中心部から第２の角度をなして前記真空容器の側壁に向けて広がるようにＸ線回折通路を形成して前記内筒に置かれた試料からの回折Ｘ線を前記真空容器外部に取り出し可能にし、前記Ｘ線入射通路及び前記Ｘ線回折通路を除く前記上部コイルと前記下部コイルとの間には、これらの間に作用する電磁力を支えるためのコイル支持部材を介在させたことを特徴とするＸ線回折装置用超電導磁石装置。（以下、訂正発明１という）
【請求項２】　請求項１記載のＸ線回折装置用超電導磁石装置において、前記Ｘ線入射通路に面した前記真空容器外部には、前記内筒内に置かれた試料に対してある入射角度でＸ線ビームを入射可能にＸ線源を前記第１の角度の範囲内で可動にして配置し、前記Ｘ線回折通路に面した前記真空容器外部には、前記内筒内に置かれた試料からの回折Ｘ線を受けることができるように検出器を前記第２の角度の範囲内で可動にして配置したことを特徴とするＸ線回折装置用超電導磁石装置。（以下、訂正発明２という）」
　
３．２　異議申立の理由及び取消理由の概要
　異議申立人百本隆一は、本件特許出願前に外国で公知の甲第１号証（Ｒｅｖｕｅ　ｄｅ　Ｐｈｙｓｉｑｕｅ　Ａｐｐｌｉｑｕｅｅ　ＶＯＬ．９，Ｎo．９（１９８４）６８５−６９０頁）、本件特許出願前に外国で公知の甲第２号証（Ｉｎｓｔｒｕｍｅｎｔｓ　ａｎｄ　Ｅｘｐｅｒｉｍｅｎｔａｌ　Ｔａｃｈｎｉｑｕｅｓ　Ｖｏｌ．２３　Ｎｏ．１　Ｐｔ２（１９８０）２３３−２３５頁）、甲第３号証（特開平４−７９３０４号公報）を提出し、本件特許の特許請求の範囲請求項１に係る発明は、甲第１号証記載の発明と同一であり、また、同じく請求項１、２に係る発明は甲第１号証〜甲第３号証記載の発明に基づいて当業者が容易に発明をすることができたものであるから、請求項１、２に係る特許は取り消されるべきであると主張する。
　取消理由は異議申立の理由と同趣旨である。
　
３．３　引用刊行物記載の発明
（甲第１号証記載の発明）
　Ｘ線拡散用の超電導磁石装置として、超電導コイルが上部コイルと下部コイルとからなる点、真空容器内に、超電導コイルの中心に向けて試料載置のための内筒を設けた点、上部コイルと下部コイルとの間に、ある角度でＸ線入射用の通路と拡散用の通路とが設けられ、これらの通路は容器の壁に設けられたアルミニウムの窓を通して外部と隔てられている点、更にはマグネットの底部から冷煤を供給できるように供給チューブが配管されている点、が記載されている。
（甲第２号証記載の発明）
　静磁界におけるＸ線研究用のカメラに関することが記載され、コイルが上部コイルと下部コイルとからなる点、コイルの中心に向けてその下方からサンプルが出し入れ可能にされている点、上部コイルと下部コイルとの間に、Ｘ線入射用の通路と回折線用の通路とが形成されている点、上部コイルと下部コイルがそれぞれ液体ヘリウムタンクに配置されることで１０−１４００Ｋの範囲で冷却される点、カメラを試料に対して可動にしている点、が記載されている。
（甲第３号証記載の発明）
　真空容器内に配置された超電導コイルを小型冷凍機によって直接冷却する点が記載されております
　
３．４　対比・判断
（訂正発明１について）
　しかしながら、甲第１号証〜甲第３号証のいずれにも、訂正発明１の構成の一つである「超電導コイルの外周に配置されて該超電導コイルを外周面から締め付けている冷却促進部材を含み、前記第１段冷却ステージ、前記第２段冷却ステージ、前記超電導コイル、及び前記冷却促進部材を真空容器内に配置して前記第２段冷却ステージに前記冷却促進材を接触させている超電導磁石装置」及び「前記Ｘ線入射通路及び前記Ｘ線回折通路を除く前記上部コイルと前記下部コイルとの間には、これらの間に作用する電磁力を支えるためのコイル支持部材を介在させた」が開示されていない。
　そして、冷却促進材を備え、これを第２段冷却ステージで冷却することにより、超電導コイルの超電導線材を効率良く短時間で極低温まで冷却可能となる効果を奏し、また、コイル支持部材は、上部コイルと下部コイルとの間に作用する、通常、数１０トンの電磁力を支えるという効果を奏する。
　してみると、訂正発明１は、甲第１号証〜甲第３号証記載の発明と同一でもなく、又、甲第１号証〜甲第３号証記載の発明に基づいて当業者が容易に発明をすることができたものでもない。
（訂正発明２について）
　訂正発明２は、訂正発明１を引用した発明であり、訂正発明１で検討したと同様に、甲第１号証〜甲第３号証記載の発明と同一でもなく、又、甲第１号証〜甲第２号証記載の発明に基づいて当業者が容易に発明をすることができたものでもない。
　
３．５　異議申立についての結び
　従って、特許異議申立の理由及び証拠によっては、上記訂正発明１、２の特許を取り消すべきとすることはできない。
　又、他に訂正発明１、２が、特許を受けることができないとする理由を発見しない。
　よって、結論のとおり決定する。
【異議決定日】
平成１３年１月５日（２００１．１．５）
【訂正の要旨】
（１）訂正事項ａ
　特許請求の範囲の請求項１に係る記載「【請求項１】　真空容器内に配置した超電導コイルとこれを冷却可能とした冷凍機とを有する超電導磁石装置において、前記超電導コイルは、上部コイルと下部コイルとから成り、前記真空容器の上端から該超電導コイルの中心部に向けて内筒を設けることにより、前記内筒を前記真空容器外部と連通可能にして試料の載置及び出し入れを可能にし、しかも前記上部コイルと前記下部コイルとの間には、前記超電導コイルの中心部から第１の角度をなして前記真空容器の側壁に向けて広がるようにＸ線入射通路を形成して前記内筒内に置かれた試料に前記真空容器外部からＸ線を入射可能にすると共に、前記Ｘ線入射通路とは異なる領域に前記超電導コイルの中心部から第２の角度をなして前記真空容器の側壁に向けて広がるようにＸ線回折通路を形成して前記内筒に置かれた試料からの回折Ｘ線を前記真空容器外部に取り出し可能にしたことを特徴とするＸ線回折装置用超電導磁石装置。」を、特許請求の範囲の減縮を目的として、
「【請求項１】　
冷却ステージとして第１段冷却ステージ及び第２段冷却ステージを有する冷凍機と、該冷凍機により冷却可能とした超電導コイルと、該超電導コイルの外周に配置されて該超電導コイルを外周面から締め付けている冷却促進部材とを含み、前記第１段冷却ステージ、前記第２段冷却ステージ、前記超電導コイル、及び前記冷却促進部材を真空容器内に配置して前記第２段冷却ステージに前記冷却促進材を接触させている超電導磁石装置であって、
　前記超電導コイルは、上部コイルと下部コイルとから成り、前記真空容器の上端から該超電導コイルの中心部に向けて内筒を設けることにより、前記内筒を前記真空容器外部と連通可能にして試料の載置及び出し入れを可能にし、しかも前記上部コイルと前記下部コイルとの間には、前記超電導コイルの中心部から第１の角度をなして前記真空容器の側壁に向けて広がるようにＸ線入射通路を形成して前記内筒内に置かれた試料に前記真空容器外部からＸ線を入射可能にすると共に、前記Ｘ線入射通路とは異なる領域に前記超電導コイルの中心部から第２の角度をなして前記真空容器の側壁に向けて広がるようにＸ線回折通路を形成して前記内筒に置かれた試料からの回折Ｘ線を前記真空容器外部に取り出し可能にし
、前記Ｘ線入射通路及び前記Ｘ線回折通路を除く前記上部コイルと前記下部コイルとの間には、これらの間に作用する電磁力を支えるためのコイル支持部材を介在させた
（２）訂正事項ｂ
　明細書の段落［０００５］「［課題を解決するための手段］　本発明によれば、真空容器内に配置した超電導コイルとこれを冷却可能とした冷凍機とを有する超電導磁石装置において、前記超電導コイルは、上部コイルと下部コイルとから成り、前記真空容器の上端から該超電導コイルの中心部に向けて内筒を設けることにより、前記内筒を前記真空容器外部と連通可能にして試料の載置及び出し入れを可能にし、しかも前記上部コイルと前記下部コイルとの間には、前記超電導コイルの中心部から第１の角度をなして前記真空容器の側壁に向けて広がるようにＸ線入射通路を形成して前記内筒内に置かれた試料に前記真空容器外部からＸ線を入射可能にすると共に、前記Ｘ線入射通路とは異なる領域に前記超電導コイルの中心部から第２の角度をなして前記真空容器の側壁に向けて広がるようにＸ線回折通路を形成して前記内筒に置かれた試料からの回折Ｘ線を前記真空容器外部に取り出し可能にしたことを特徴とするＸ線回折装置用超電導磁石装置が得られる。」を、明りょうでない記載の釈明を目的として、
　「［課題を解決するための手段］　本発明によれば、冷却ステージとして第１段冷却ステージ及び第２段冷却ステージを有する冷凍機と、該冷凍機により冷却可能とした超電導コイルと、該超電導コイルの外周に配置されて該超電導コイルを外周面から締め付けている冷却促進部材とを含み、前記第１段冷却ステージ、前記第２段冷却ステージ、前記超電導コイル、及び前記冷却促進部材を真空容器内に配置して前記第２段冷却ステージに前記冷却促進材を接触させている超電導磁石装置であって、前記超電導コイルは、上部コイルと下部コイルとから成り、前記真空容器の上端から該超電導コイルの中心部に向けて内筒を設けることにより、前記内筒を前記真空容器外部と蓮通可能にして試料の載置及び出し入れを可能にし、しかも前記上部コイルと前記下部コイルとの間には、前記超電導コイルの中心部から第１の角度をなして前記真空容器の側壁に向けて広がるようにＸ線入射通路を形成して前記内筒内に置かれた試料に前記真空容器外部からＸ線を入射可能にすると共に、前記Ｘ線入射通路とは異なる領域に前記超電導コイルの中心部から第２の角度をなして前記真空容器の側壁に向けて広がるようにＸ線回折通路を形成して前記内筒に置かれた試料からの回折Ｘ線を前記真空容器外部に取り出し可能にし、前記Ｘ線入射通路及び前記Ｘ線回折通路を除く前記上部コイルと前記下部コイルとの間には、これらの間に作用する電磁力を支えるためのコイル支持部材を介在させたことを特徴とするＸ線回折装置用超電導磁石装置が得られる。」と訂正するものである。
（５４）【発明の名称】
Ｘ線回折装置用超電導磁石装置
（５７）【特許請求の範囲】
　　【請求項１】　
冷却ステージとして第１段冷却ステージ及び第２段冷却ステージを有する冷凍機と、該冷凍機により冷却可能とした超電導コイルと、該超電導コイルの外周に配置されて該超電導コイルを外周面から締め付けている冷却促進部材とを含み、前記第１段冷却ステージ、前記第２段冷却ステージ、前記超電導コイル、及び前記冷却促進部材を真空容器内に配置して前記第２段冷却ステージに前記冷却促進材を接触させている超電導磁石装置であって、
　前記超電導コイルは、上部コイルと下部コイルとから成り、前記真空容器の上端から該超電導コイルの中心部に向けて内筒を設けることにより、前記内筒を前記真空容器外部と連通可能にして試料の載置及び出し入れを可能にし、しかも前記上部コイルと前記下部コイルとの問には、前記超電導コイルの中心部から第１の角度をなして前記真空容器の側壁に向けて広がるようにＸ線入射通路を形成して前記内筒内に置かれた試料に前記真空容器外部からＸ線を入射可能にすると共に、前記Ｘ線入射通路とは異なる領域に前記超電導コイルの中心部から第２の角度をなして前記真空容器の側壁に向けて広がるようにＸ線回折通路を形成して前記内筒に置かれた試料からの回折Ｘ線を前記真空容器外部に取り出し可能にし
、前記Ｘ線入射通路及び前記Ｘ線回折通路を除く前記上部コイルと前記下部コイルとの間には、これらの間に作用する電磁力を支えるためのコイル支持部材を介在させ
　【請求項２】　請求項１記載のＸ線回折装置用超電導磁石装置において、前記Ｘ線入射通路に面した前記真空容器外部には、前記内筒内に置かれた試料に対してある入射角度でＸ線ビームを入射可能にＸ線源を前記第１の角度の範囲内で可動にして配置し、前記Ｘ線回折通路に面した前記真空容器外部には、前記内筒内に置かれた試料からの回折Ｘ線を受けることができるように検出器を前記第２の角度の範囲内で可動にして配置したことを特徴とするＸ線回折装置用超電導磁石装置。
【発明の詳細な説明】
　　　【０００１】
　　【産業上の利用分野】
　本発明は伝導冷却型超電導磁石装置に関し、特にＸ線回折装置としての使用に適したＸ線回折装置用超電導磁石装置に関する。
　　　【０００２】
　　【従来の技術】
　周知のように、超電導磁石装置は非常に大きい磁場を作ることができることから、様々な実験施設や実用化に供されている。その一例としては、特願平４−３０６２９６号に示されているものがある。この超電導磁石装置は、簡単に言えば、真空容器内に配置した超電導コイルとこれを冷却可能とした冷凍機とを有する。そして、真空容器の上端から超電導コイルの中心部に至るように内筒を設けることにより、この内筒内の空間と真空容器外部とを連通可能にし、超電導コイルの中心部に試料の載置及び出し入れを可能にしている。
　　　【０００３】
　　【発明が解決しようとする課題】
　しかしながら、このような超電導磁石装置では、超電導コイルによる大きい磁場を内筒内に置かれた試料に単に作用させるだけの使用しかできず、使用用途の拡大化が望まれている。上記のような制約は、超電導コイルが真空容器内に収容され、しかも磁場を利用する空間は、通常、超電導コイル内の限られた空間に限定されるという点に起因している。
　　　【０００４】
　本発明は、このような制約を無くして、多用途の使用を可能にしたＸ線回折装置用超電導磁石装置を提供することにある。
　　　【０００５】
　　【課題を解決するための手段】
　本発明によれば、
冷却ステージとして第１段冷却ステージ及び第２段冷却ステージを有する冷凍機と、該冷凍機により冷却可能とした超電導コイルと、該超電導コイルの外周に配置されて該超電導コイルを外周面から締め付けている冷却促進部材とを含み、前記第１段冷却ステージ、前記第２段冷却ステージ、前記超電導コイル、及び前記冷却促進部材を真空容器内に配置して前記第２段冷却ステージに前記冷却促進材を接触させている超電導磁石装置であって、
、前記Ｘ線入射通路及び前記Ｘ線回折通路を除く前記上部コイルと前記下部コイルとの間には、これらの間に作用する電磁力を支えるためのコイル支持部材を介在させ
　　　【０００６】
　本発明によればまた、前記Ｘ線入射通路に面した前記真空容器外部には、前記内筒内に置かれた試料に対してある入射角度でＸ線ビームを入射可能にＸ線源を前記第１の角度の範囲内で可動にして配置し、前記Ｘ線回折通路に面した前記真空容器外部には、前記内筒内に置かれた試料からの回折Ｘ線を受けることができるように検出器を前記第２の角度の範囲内で可動にして配置したことを特徴とするＸ線回折装置用超電導磁石装置が得られる。
　　　【０００７】
　　【作用】
　このようなＸ線回折装置用超電導磁石装置によれば、超電導コイルによる大きい磁場を内筒内に置かれた試料に作用させるような使用に加えて、この試料にＸ線を照射して回折Ｘ線から試料の結晶構造の解析を行うというような、いわゆる物性の解析も可能となる。
　　　【０００８】
　　【実施例】
　以下に、図面を参照して本発明の実施例について説明する。図１は、本発明の一実施例による伝導冷却型超電導磁石装置の縦断面図であって、基台２と、真空容器（クライオスタット）３と、熱シールド板４と、超電導コイル５と、正負極一対の高温超電導電流リード６と、蓄冷式冷凍機７とを有する。
　　　【０００９】
　真空容器３は、真空としたその内部に熱シールド板４と、超電導コイル５と、ビスマス系金属を代表とする高温超電導電流リード６と、蓄冷式冷凍機７の第１段冷却ステージ７Ａ及び第２段冷却ステージ７Ｂとを収容している。熱シールド板４は、蓄冷式冷凍機７の第１段冷却ステージ７Ａに接触固定すると共に、その内部の超電導コイル５及び高温超電導電流リード６への熱侵入を防止している。高温超電導電流リード６は、リード１２、外部接続端子１３を介して外部電源（図示せず）に接続される。
　　　【００１０】
　超電導コイル５は、スプリットコイル型と呼ばれるもので上部コイル５−１と下部コイル５−２とから成り、それぞれ、環状のコイル巻き枠９−１、９−２に超電導線材１０を巻いたもので、これらの外周は冷却促進部材としての銅ブロック１１で締め付けている。銅ブロック１１は、上部コイル５−１と下部コイル５−２の外周を締め付けているブロック１１−１と、このブロック１１−１にボルトで固定されて上部コイル５−１の上面側を押さえているブロック１１−２と、ブロック１１−１にボルトで固定されて下部コイル５−２の下面側を押さえているブロック１１−３とから成る。また、上部コイル５−１と下部コイル５−２との間には、これらの間に作用する電磁力（吸引力）を支えるために銅製のコイル支持材８を介在させている。
　　　【００１１】
　このように、コイル巻き枠９−１、９−２を、熱伝導率の優れた銅ブロック１１を介して第２段冷却ステージ７Ｂにより冷却することにより、超電導線材１０を効率良く短時間で極低温まで冷却可能としている。
　　　【００１２】
　本発明では、真空容器３と熱シールド板４とにこれらの上端中心から超電導コイル５の中心部に向かう直径ｄ１の内筒３−１、４−１を設けて、超電導コイル５の中心部に試料（図示せず）を載置したり、出し入れしたりできるようにされている。また、図２にも示すように、コイル支持材８は、上部コイル５−１と下部コイル５−２との間の全領域に介在させずに、中心部から第１の角度をなして真空容器３の側壁に向けて広がる領域Ｓ１と、この領域Ｓ１と重ならずに中心部から第２の角度をなして真空容器３の側壁に向けて広がる領域Ｓ２とを空間として残し、これらの空間を真空容器３内とは遮断されたＸ線入射通路、Ｘ線回折通路として利用できるように内筒３−１、４−１内に連通させている。
　　　【００１３】
　これらの領域Ｓ１、Ｓ２は、本超電導磁石装置をＸ線回折用に使用するためのものであり、これを図３をも参照して説明する。図３は、Ｘ線回折に用いる光学系の概略構成図であり、真空容器３外に配置されたＸ線源３１から発散されたＸ線ビーム３２は、入射角度θで試料３３にあたると回折され、Ｘ線ビーム３２の延長線に対して２θの回折角度で真空容器３外に配置された検出器３４に至り受光される。特に、超電導コイル５は固定とし、Ｘ線源３１、検出器３４をそれぞれ第１、第２の角度範囲０〜θ、０〜２θ内で移動可能にしている。
　　　【００１４】
　このような構造を、図１に示した超電導磁石装置において実現できるようにするために、真空容器３と熱シールド板４の側壁からそれぞれ、高さ寸法ｈ１のＸ線入射通路、Ｘ線回折通路を区画形成できるような区画壁３−２、４−２を設けている。なお、超電導磁石装置の大きさにもよるが、上部コイル５−１と下部コイル５−２との間には通常、数１０トンの力が加わるので、領域Ｓ１とＳ２との間には数十度の角度の支持領域Ｓ３が必要であり、このことから領域Ｓ１、Ｓ２も必然的に６０度程度の角度範囲に形成される。
　　　【００１５】
　このようなＸ線回折を利用した物性の解析例としては、磁場誘起にてマルテンサイト変態する物性の探索、高温超電導物体の変態温度Ｔｃ近傍での不安定性の観測等が考えられる。
　　　【００１６】
　　【発明の効果】
　以上説明したように本発明によれば、超電導コイルが真空容器内に収容され、しかも磁場を利用する空間が超電導コイル内の限られた空間に限定されるような場合であっても、この限られた空間に配置された試料に外部空間からＸ線を導入すると共に、回折Ｘ線を外部空間に導出することができるようにしたことにより、従来は不可能であった超電導磁石装置中の高磁場でのＸ線回折による物性の解析が可能となり、多用途での使用が可能となった。
【図面の簡単な説明】
　【図１】
　本発明によるＸ線回折装置用超電導磁石装置の縦断面図である。
　【図２】
　図１の線Ａによる横断面図である。
　【図３】
　本発明に適用されるＸ線回折装置の光学系の概略構成を示す図である。
　【符号の説明】
　２　　　基台
　３　　　真空容器
　４　　　熱シールド板
　５　　　超電導コイル
　６　　　高温超電導電流リード
　７　　　蓄冷式冷凍機
　７Ａ　　第１段冷却ステージ
　７Ｂ　　第２段冷却ステージ
　８　　　コイル支持材
　９−１、９−２　コイル巻き枠
　１０　　超電導線材
　１１　　銅ブロック